(57)【特許請求の範囲】
【請求項１】
下記式（Ｉ）で表される染料（Ｉ）及び下記式（II）で表される染料（II）を含み、前記染料（Ｉ）及び前記染料（II）の総含有量に対する前記染料（II）の含有量が、０．００１質量％〜３質量％である染料混合物。
【化１】
0006443888.tif 000025
式（Ｉ）及び式（II）において、Ｍｅは、メチル基を表す。
【請求項２】
前記染料（Ｉ）及び前記染料（II）の総含有量に対する前記染料（II）の含有量が、０．００１質量％〜１質量％である請求項１に記載の染料混合物。
【請求項３】
下記式（III）で表される染料（III）及び下記式（IV）で表される染料（IV）を含み、前記染料（III）及び前記染料（IV）の総含有量に対する前記染料（IV）の含有量が、０．００１質量％〜３質量％である染料混合物。
【化２】
0006443888.tif 000026
式（III）及び式（IV）において、Ｍｅは、メチル基を表す。
【請求項４】
前記染料（III）及び前記染料（IV）の総含有量に対する前記染料（IV）の含有量が、０．００１質量％〜１質量％である請求項３に記載の染料混合物。
【請求項５】
下記式（Ｖ）で表される染料（Ｖ）及び下記式（VI）で表される染料（VI）を含み、前記染料（Ｖ）及び前記染料（VI）の総含有量に対する前記染料（VI）の含有量が、０．００１質量％〜３質量％である染料混合物。
【化３】
0006443888.tif 000027
【請求項６】
前記染料（Ｖ）及び前記染料（VI）の総含有量に対する前記染料（VI）の含有量が、０．００１質量％〜１質量％である請求項５に記載の染料混合物。
【請求項７】
請求項１又は請求項２に記載の染料混合物であるイエロー染料混合物、請求項３又は請求項４に記載の染料混合物であるマゼンタ染料混合物、及び、請求項５又は請求項６に記載の染料混合物であるシアン染料混合物からなる群から選択される少なくとも１種を含む染毛剤。
【請求項８】
請求項７に記載の染毛剤と、水と、を含む染毛剤溶液。
【請求項９】
染料の総含有量が、染毛剤溶液の全量に対し、０．１質量％〜５質量％である請求項８に記載の染毛剤溶液。
【請求項１０】
請求項１又は請求項２に記載の染料混合物を製造する方法であって、
下記式（Ｉ−α）で表される化合物（Ｉ−α）と下記式（Ｉ−β）で表されるジアゾニウム塩（Ｉ−β）とをジアゾカップリング反応させ、ジアゾカップリング反応の反応主生成物として前記染料（Ｉ）を得、かつ、ジアゾカップリング反応の反応副生成物として前記染料（II）を得ることにより、前記染料混合物を得るジアゾカップリング工程を有する染料混合物の製造方法。
【化４】
0006443888.tif 000028
式（Ｉ−β）において、Ｘ−は、酸からプロトンが解離することによって生じた一価のアニオンを表し、Ｍｅは、メチル基を表す。
【請求項１１】
請求項３又は請求項４に記載の染料混合物を製造する方法であって、
下記式（Ｉ−α）で表される化合物（Ｉ−α）と下記式（III−β）で表されるジアゾニウム塩（III−β）とをジアゾカップリング反応させ、ジアゾカップリング反応の反応主生成物として前記染料（III）を得、かつ、ジアゾカップリング反応の反応副生成物として前記染料（IV）を得ることにより、前記染料混合物を得るジアゾカップリング工程を有する染料混合物の製造方法。
【化５】
0006443888.tif 000029
式（III−β）において、Ｘ−は、酸からプロトンが解離することによって生じた一価のアニオンを表し、Ｍｅは、メチル基を表す。
【請求項１２】
請求項５又は請求項６に記載の染料混合物を製造する方法であって、
下記式（Ｉ−α）で表される化合物（Ｉ−α）と下記式（Ｖ−β）で表されるジアゾニウム塩（Ｖ−β）とをジアゾカップリング反応させて反応主生成物及び反応副生成物を得るジアゾカップリング工程と、
ジアゾカップリング工程によって生じた前記反応主生成物及び前記反応副生成物に対し、アルキルスルホニルクロライド又はアリールスルホニルクロライドと、塩素化剤と、をこの順に反応させる塩素化工程と、
塩素化工程によって生じた塩素化物に対し、アンモニアを反応させることにより、前記染料混合物を得るアミン化工程と、
を有する染料混合物の製造方法。
【化６】
0006443888.tif 000030
式（Ｖ−β）において、Ｘ−は、酸からプロトンが解離することによって生じた一価のアニオンを表す。
【発明の詳細な説明】
【技術分野】
【０００１】
本発明は、染料混合物及びその製造方法、染毛剤、並びに染毛剤溶液に関する。
【背景技術】
【０００２】
アゾ色素化合物は、インクジェットインク、カラーフィルタ、ヘアダイ（染毛剤）、昇華型色素、など種々の用途に用いることができる化合物である。
例えば、特定構造のアゾ色素化合物（アゾ染料）を含む染毛剤組成物が知られている（例えば、特許文献１参照）。
【先行技術文献】
【特許文献】
【０００３】
【特許文献１】特許第４０８０９４７号公報
【発明の概要】
【発明が解決しようとする課題】
【０００４】
しかし、特許文献１に記載のアゾ染料は、このアゾ染料を溶解させた水系溶液から、（特に、経時により）析出する場合がある。ここで、水系溶液とは、水を含む溶液を指す。
本発明は上記に鑑みなされたものであり、以下の目的を達成することを課題とする。
即ち、本発明の目的は、水系溶液からの染料の析出を抑制でき、混合による色味の変化（主染料に対する色味の変化）が抑制された染料混合物及びその製造方法、並びに、上記染料混合物を含む染毛剤及び染毛剤溶液を提供することである。
【課題を解決するための手段】
【０００５】
上記課題を解決するための具体的手段は以下の通りである。
＜１＞  下記式（Ｉ）で表される染料（Ｉ）及び下記式（II）で表される染料（II）を含み、染料（Ｉ）及び染料（II）の総含有量に対する染料（II）の含有量が、０．００１質量％〜５質量％である染料混合物。
【０００６】
【化１】
0006443888.tif 000002
【０００７】
式（Ｉ）及び式（II）において、Ｍｅは、メチル基を表す。
【０００８】
＜２＞  染料（Ｉ）及び染料（II）の総含有量に対する染料（II）の含有量が、０．００１質量％〜１質量％である＜１＞に記載の染料混合物。
＜３＞  下記式（III）で表される染料（III）及び下記式（IV）で表される染料（IV）を含み、染料（III）及び染料（IV）の総含有量に対する染料（IV）の含有量が、０．００１質量％〜５質量％である染料混合物。
【０００９】
【化２】
0006443888.tif 000003
【００１０】
式（III）及び式（IV）において、Ｍｅは、メチル基を表す。
【００１１】
＜４＞  染料（III）及び染料（IV）の総含有量に対する染料（IV）の含有量が、０．００１質量％〜１質量％である＜３＞に記載の染料混合物。
＜５＞  下記式（Ｖ）で表される染料（Ｖ）及び下記式（VI）で表される染料（VI）を含み、染料（Ｖ）及び染料（VI）の総含有量に対する染料（VI）の含有量が、０．００１質量％〜５質量％である染料混合物。
【００１２】
【化３】
0006443888.tif 000004
【００１３】
＜６＞  染料（Ｖ）及び染料（VI）の総含有量に対する染料（VI）の含有量が、０．００１質量％〜１質量％である＜５＞に記載の染料混合物。
＜７＞  ＜１＞又は＜２＞に記載の染料混合物であるイエロー染料混合物、＜３＞又は＜４＞に記載の染料混合物であるマゼンタ染料混合物、及び、＜５＞又は＜６＞に記載の染料混合物であるシアン染料混合物からなる群から選択される少なくとも１種を含む染毛剤。
＜８＞  ＜７＞に記載の染毛剤と、水と、を含む染毛剤溶液。
＜９＞  染料の総含有量が、染毛剤溶液の全量に対し、０．１質量％〜５質量％である＜８＞に記載の染毛剤溶液。
【００１４】
＜１０＞  ＜１＞又は＜２＞に記載の染料混合物を製造する方法であって、
下記式（Ｉ−α）で表される化合物（Ｉ−α）と下記式（Ｉ−β）で表されるジアゾニウム塩（Ｉ−β）とをジアゾカップリング反応させ、ジアゾカップリング反応の反応主生成物として染料（Ｉ）を得、かつ、ジアゾカップリング反応の反応副生成物として染料（II）を得ることにより、染料混合物を得るジアゾカップリング工程を有する染料混合物の製造方法。
【００１５】
【化４】
0006443888.tif 000005
【００１６】
式（Ｉ−β）において、Ｘ−は、酸からプロトンが解離することによって生じた一価のアニオンを表し、Ｍｅは、メチル基を表す。
【００１７】
＜１１＞  ＜３＞又は＜４＞に記載の染料混合物を製造する方法であって、
下記式（Ｉ−α）で表される化合物（Ｉ−α）と下記式（III−β）で表されるジアゾニウム塩（III−β）とをジアゾカップリング反応させ、ジアゾカップリング反応の反応主生成物として染料（III）を得、かつ、ジアゾカップリング反応の反応副生成物として染料（IV）を得ることにより、染料混合物を得るジアゾカップリング工程を有する染料混合物の製造方法。
【００１８】
【化５】
0006443888.tif 000006
【００１９】
式（III−β）において、Ｘ−は、酸からプロトンが解離することによって生じた一価のアニオンを表し、Ｍｅは、メチル基を表す。
【００２０】
＜１２＞  ＜５＞又は＜６＞に記載の染料混合物を製造する方法であって、
下記式（Ｉ−α）で表される化合物（Ｉ−α）と下記式（Ｖ−β）で表されるジアゾニウム塩（Ｖ−β）とをジアゾカップリング反応させて反応主生成物及び反応副生成物を得るジアゾカップリング工程と、
ジアゾカップリング工程によって生じた反応主生成物及び反応副生成物に対し、アルキルスルホニルクロライド又はアリールスルホニルクロライドと、塩素化剤と、をこの順に反応させる塩素化工程と、
塩素化工程によって生じた塩素化物に対し、アンモニアを反応させることにより、染料混合物を得るアミン化工程と、
を有する染料混合物の製造方法。
【００２１】
【化６】
0006443888.tif 000007
【００２２】
式（Ｖ−β）において、Ｘ−は、酸からプロトンが解離することによって生じた一価のアニオンを表す。
【発明の効果】
【００２３】
本発明によれば、水系溶液からの染料の析出を抑制でき、混合による色味の変化（主染料に対する色味の変化）が抑制された染料混合物及びその製造方法、並びに、上記染料混合物を含む染毛剤及び染毛剤溶液が提供される。
【発明を実施するための形態】
【００２４】
以下、本発明の実施形態について説明する。
本明細書中において、「主染料」とは、含有量が最も多い染料を意味し、「副染料」とは、主染料以外の染料を指す。
本明細書中において、「〜」を用いて表される数値範囲は、「〜」の前後に記載される数値を下限値及び上限値として含む範囲を意味する。
【００２５】
〔染料混合物〕
第１実施形態の染料混合物は、下記式（Ｉ）で表される染料（Ｉ）及び下記式（II）で表される染料（II）を含み、染料（Ｉ）及び染料（II）の総含有量に対する染料（II）の含有量（以下、単に「染料（II）の含有量」ともいう）が、０．００１質量％〜５質量％である。下記式（Ｉ）及び式（II）において、Ｍｅは、メチル基を表す。
染料（Ｉ）は、イエロー染料である。
【００２６】
【化７】
0006443888.tif 000008
【００２７】
第２実施形態の染料混合物は、下記式（III）で表される染料（III）及び下記式（IV）で表される染料（IV）を含み、染料（III）及び染料（IV）の総含有量に対する染料（IV）の含有量（以下、単に「染料（IV）の含有量」ともいう）が、０．００１質量％〜５質量％である。式（III）及び式（IV）において、Ｍｅは、メチル基を表す。
染料（III）は、マゼンタ染料である。
【００２８】
【化８】
0006443888.tif 000009
【００２９】
第３実施形態の染料混合物は、下記式（Ｖ）で表される染料（Ｖ）及び下記式（VI）で表される染料（VI）を含み、染料（Ｖ）及び染料（VI）の総含有量に対する染料（VI）の含有量（以下、単に「染料（VI）の含有量」ともいう）が、０．００１質量％〜５質量％である。
染料（Ｖ）は、シアン染料である。
【００３０】
【化９】
0006443888.tif 000010
【００３１】
アゾ染料のうち、特に、染料（Ｉ）、染料（III）、及び染料（Ｖ）は、それぞれ、染毛剤として用いた場合の色の鮮やかさに優れ、染毛性に優れた染料である。
しかし、染料（Ｉ）、染料（III）、及び染料（Ｖ）は、それぞれ、水を含む水系溶媒（以下、単に「溶媒」ともいう）中に溶解させて水系溶液（以下、単に「溶液」ともいう）とした場合に、溶液から析出し易い傾向がある。
例えば、上記溶液を容器内で保管した場合、（特に、経時による蒸発によって溶液の濃度が上昇したときに、）容器の内壁に染料が析出することがある。
染料の析出が顕著であると、析出した染料の再溶解、溶液の濃度の管理、容器の洗浄、等に手間がかかるため、工程が煩雑となり、また、製造コストの上昇を招くおそれがある。
【００３２】
上述した染料の析出の問題に関し、本発明者は、主染料としての染料（Ｉ）に対し、副染料として、染料（Ｉ）と類似した構造を有する染料（II）を、ごくわずかな量（具体的には、染料（Ｉ）及び染料（II）の総含有量に対する染料（II）の含有量として０．００１質量％）添加することにより、染料（Ｉ）の析出が抑制されることを見出した。なお、染料（II）はごくわずかな量であるため、染料（II）の析出も当然に抑制される。
更に、本発明者は、染料（II）の含有量を５質量％以下とすることで、染料（Ｉ）の色味（イエロー）に対する色味の変化が抑制されることを見出した。
即ち、上述の第１実施形態の染料混合物によれば、溶液からの染料（Ｉ）及び染料（II）の析出が抑制され、染料（Ｉ）の色味（イエロー）に対する色味の変化が抑制される。
【００３３】
第１実施形態の染料混合物において、染料（II）の含有量（染料（Ｉ）及び染料（II）の総含有量に対する染料（II）の含有量。以下同じ。）は、０．００１質量％〜５質量％である。
第１実施形態の染料混合物において、染料（II）の含有量としては、染料の析出をより効果的に抑制する観点から、０．００２質量％以上が好ましく、０．００５質量％以上がより好ましく、０．００７質量％以上が更に好ましく、０．０１質量％以上が更に好ましく、０．０３質量％以上が特に好ましい。
第１実施形態の染料混合物において、染料（II）の含有量としては、染料（Ｉ）の色味に対する色味の変化をより抑制する観点から、１質量％以下が好ましく、０．３質量％以下がより好ましく、０．１質量％以下が更に好ましい。
【００３４】
第１実施形態の染料混合物は、染料（Ｉ）及び染料（II）以外のその他の成分（例えば、他の染料、合成により混入する不純物、等）を含んでいてもよい。
他の染料としては、染料（III）〜染料（VI）の少なくとも１種であってもよい。
但し、第１実施形態による効果をより効果的に奏する観点から、第１実施形態の染料混合物全量に対する染料（Ｉ）及び染料（II）の総含有量は、８０質量％以上が好ましく、９０質量％以上がより好ましく、９５質量％以上が更に好ましく、９８質量％以上が更に好ましく、理想的には１００質量％である。
【００３５】
また、本発明者は、主染料としての染料（III）に対し、副染料として、染料（III）と類似した構造を有する染料（IV）を、ごくわずかな量（具体的には、染料（III）及び染料（IV）の総含有量に対する染料（IV）の含有量として０．００１質量％）添加することにより、染料（III）の析出が抑制されることを見出した。なお、染料（IV）はごくわずかな量であるため、染料（IV）の析出も当然に抑制される。
更に、本発明者は、染料（IV）の含有量を５質量％以下とすることで、染料（III）の色味（マゼンタ）に対する色味の変化が抑制されることを見出した。
即ち、上述の第２実施形態の染料混合物によれば、溶液からの染料（III）及び染料（IV）の析出が抑制され、染料（III）の色味（マゼンタ）に対する色味の変化が抑制される。
【００３６】
第２実施形態の染料混合物において、染料（IV）の含有量（染料（III）及び染料（IV）の総含有量に対する染料（IV）の含有量。以下同じ。）は、０．００１質量％〜５質量％である。
第２実施形態の染料混合物において、染料（IV）の含有量としては、染料の析出をより効果的に抑制する観点から、０．００２質量％以上が好ましく、０．００３質量％以上がより好ましく、０．０１質量％以上が特に好ましい。
第２実施形態の染料混合物において、染料（IV）の含有量としては、染料（III）の色味に対する色味の変化をより抑制する観点から、１質量％以下が好ましく、０．１質量％以下がより好ましく、０．０５質量％以下が更に好ましい。
【００３７】
第２実施形態の染料混合物は、染料（III）及び染料（IV）以外のその他の成分（例えば、他の染料、合成により混入する不純物、等）を含んでいてもよい。
他の染料としては、染料（Ｉ）、染料（II）、染料（Ｖ）、及び染料（VI）の少なくとも１種であってもよい。
但し、第２実施形態による効果をより効果的に奏する観点から、第２実施形態の染料混合物全量に対する染料（III）及び染料（IV）の総含有量は、８０質量％以上が好ましく、９０質量％以上がより好ましく、９５質量％以上が更に好ましく、９８質量％以上が更に好ましく、理想的には１００質量％である。
【００３８】
また、本発明者は、主染料としての染料（Ｖ）に対し、副染料として、染料（Ｖ）と類似した構造を有する染料（VI）を、ごくわずかな量（具体的には、染料（Ｖ）及び染料（VI）の総含有量に対する染料（VI）の含有量として０．００１質量％）添加することにより、染料（Ｖ）の析出が抑制されることを見出した。なお、染料（VI）はごくわずかな量であるため、染料（VI）の析出も当然に抑制される。
更に、本発明者は、染料（VI）の含有量を５質量％以下とすることで、染料（Ｖ）の色味（シアン）に対する色味の変化が抑制されることを見出した。
即ち、上述の第３実施形態の染料混合物によれば、溶液からの染料（Ｖ）及び染料（VI）の析出が抑制され、染料（Ｖ）の色味（シアン）に対する色味の変化が抑制される。
【００３９】
第３実施形態の染料混合物において、染料（VI）の含有量（染料（Ｖ）及び染料（VI）の総含有量に対する染料（VI）の含有量。以下同じ。）は、０．００１質量％〜５質量％である。
第３実施形態の染料混合物において、染料（VI）の含有量としては、染料の析出をより効果的に抑制する観点から、０．００２質量％以上が好ましく、０．００３質量％以上がより好ましく、０．００５質量％以上が特に好ましい。
第３実施形態の染料混合物において、染料（VI）の含有量としては、染料（Ｖ）の色味に対する色味の変化をより抑制する観点から、１質量％以下が好ましく、０．１質量％以下がより好ましく、０．０５質量％以下が更に好ましい。
【００４０】
第３実施形態の染料混合物は、染料（Ｖ）及び染料（VI）以外のその他の成分（例えば、他の染料、合成により混入する不純物、等）を含んでいてもよい。
他の染料としては、染料（Ｉ）、染料（II）、染料（III）、及び染料（VI）の少なくとも１種であってもよい。
但し、第３実施形態による効果をより効果的に奏する観点から、第３実施形態の染料混合物全量に対する染料（Ｖ）及び染料（VI）の総含有量は、８０質量％以上が好ましく、９０質量％以上がより好ましく、９５質量％以上が更に好ましく、９８質量％以上が更に好ましく、理想的には１００質量％である。
【００４１】
〔染毛剤〕
上述した第１実施形態〜第３実施形態の染料混合物は、いずれも染毛剤の成分として有効である。
本実施形態の染毛剤は、第１実施形態の染料混合物であるイエロー染料混合物、第２実施形態の染料混合物であるマゼンタ染料混合物、及び、第３実施形態の染料混合物であるシアン染料混合物からなる群から選択される少なくとも１種を含む。
本実施形態の染毛剤は、水系溶媒に溶解させて溶液とした場合に、溶液からの各染料の析出が抑制される。
本実施形態の染毛剤は、染料（Ｉ）、染料（III）、及び染料（Ｖ）の少なくとも１種を含むので、色の鮮やかさに優れ、染毛性に優れる。
【００４２】
本実施形態の染毛剤は、イエロー単色の染毛剤であってもよいし、マゼンタ単色の染毛剤であってもよいし、シアン単色の染毛剤であってもよい。
更に、本実施形態の染毛剤は、イエロー、マゼンタ、及びシアンから選択される２色を混合した混合色の染毛剤であってもよいし、イエロー、マゼンタ、及びシアンの３色を混合した混合色の染毛剤であってもよい。
【００４３】
本実施形態の染毛剤は、第１〜第３実施形態の染料混合物以外のその他の成分を含んでいてもよい。
その他の成分としては、染料（Ｉ）〜染料（VI）以外のその他の染料、染料（Ｉ）〜染料（VI）を製造する工程で副生成する不純物等が挙げられる。
【００４４】
但し、本実施形態の効果をより効果的に得る観点から、本実施形態の染毛剤において、上記イエロー染料混合物、上記マゼンタ染料混合物、及び上記シアン染料混合物の総含有量は、染毛剤全量に対し、８０質量％以上であることが好ましく、９０質量％以上であることがより好ましく、９５質量％以上であることが更に好ましく、９８質量％以上であることが更に好ましく、１００質量％が最も好ましい。
なお、言うまでもないが、「上記イエロー染料混合物、上記マゼンタ染料混合物、及び上記シアン染料混合物の総含有量」とは、例えば、染毛剤に含まれる染料混合物が１種のみ（例えば上記イエロー染料混合物のみ）である場合には、この１種の染料混合物（例えば上記イエロー染料混合物）の染毛剤全量に対する含有量を意味する。
【００４５】
本実施形態の染毛剤の形態には特に制限はなく、公知の染毛剤の形態を適宜採用することができる。公知の染毛剤の形態としては、例えば、特許第４０８０９４７号公報の記載を参照することができる。
【００４６】
〔染毛剤溶液〕
上述した本実施形態の染毛剤は、染毛剤溶液の成分として有効である。
本実施形態の染毛剤溶液は、本実施形態の染毛剤と、水と、を含む。
本実施形態の染毛剤溶液中における染料の総含有量（例えば、染料（Ｉ）〜（VI）の総含有量）には特に制限はないが、染毛剤溶液全量に対し、０．１質量％〜５質量％であることが好ましく、０．１質量％〜３質量％であることがより好ましく、０．１質量％〜１質量％であることが更に好ましく、０．１質量％〜０．５質量％であることが特に好ましい。
染料の総含有量が０．１質量％以上であると、染毛性がより向上する。
染料の総含有量が５質量％以下であると、染毛剤を入れる容器の着色がより抑制される。
【００４７】
本実施形態の染毛剤溶液は、アルカリ剤を含有することが好ましい。
アルカリ剤としては、アンモニア；モノエタノールアミン、イソプロパノールアミン、これらの塩等のアルカノールアミン；グアニジン炭酸塩等のグアニジウム塩；水酸化ナトリウム等の水酸化物；などが挙げられる。
アルカリ剤の含有量は、染毛剤溶液の全量に対し、０．０１質量％〜２０質量％が好ましく、０．１質量％〜１０質量％がより好ましく、０．５質量％〜５質量％が更に好ましい。
【００４８】
本実施形態の染毛剤溶液は、上記以外のその他の成分を含んでいてもよい。
その他の成分としては、酸化剤、酸化染料（顕色物質及びカップリング物質）、コンディショニング剤（シリコーンオイル、有機コンディショニングオイル、コンディショニングポリマー（例えばカチオン性ポリマー）等）、ポリアルキレングリコール、キレート剤、界面活性剤、保存料（油脂等）、乳化剤、溶剤、等が挙げられる。
その他の成分としては、特許第４０８０９４７号公報の記載を適宜参照できる。
【００４９】
本実施形態の染毛剤溶液の形態には特に制限はなく、公知の染毛剤溶液の形態を適宜採用することができる。公知の染毛剤溶液の形態としては、例えば、特許第４０８０９４７号公報の記載を参照することができる。
【００５０】
〔第１の実施形態の染料混合物の製造方法〕
第１の実施形態の染料混合物を製造する方法には特に制限はない。
第１の実施形態の染料混合物を製造する方法は、例えば、公知のジアゾカップリング反応によって染料（Ｉ）及び染料（II）をそれぞれ合成し、両者を、染料（II）の含有量が前述した範囲となるように混ぜ合わせる方法であってもよい。
第１の実施形態の染料混合物を製造する方法としては、染料混合物の製造効率の観点から、下記製法Ａが好ましい。
【００５１】
−製法Ａ−
製法Ａは、下記式（Ｉ−α）で表される化合物（Ｉ−α）と下記式（Ｉ−β）で表されるジアゾニウム塩（Ｉ−β）とをジアゾカップリング反応させ、ジアゾカップリング反応の反応主生成物として染料（Ｉ）を得、かつ、ジアゾカップリング反応の反応副生成物として、染料（Ｉ）及び染料（II）の総含有量に対する含有量が０．００１質量％〜５質量％である染料（II）を得ることにより、第１の実施形態の染料混合物を得るジアゾカップリング工程を有する第１の実施形態の染料混合物の製造方法である。
ここで、反応主生成物である染料（Ｉ）は、化合物（Ｉ−α）のフェノール性水酸基に対してパラ位にジアゾニウム塩（Ｉ−β）がジアゾカップリングした化合物である。
また、反応副生成物である染料（II）は、化合物（Ｉ−α）のフェノール性水酸基に対してオルト位にジアゾニウム塩（Ｉ−β）がジアゾカップリングした化合物である。
【００５２】
【化１０】
0006443888.tif 000011
【００５３】
式（Ｉ−β）において、Ｘ−は、酸からプロトンが解離することによって生じた一価のアニオンを表し、Ｍｅは、メチル基を表す。
【００５４】
製法Ａによれば、染料（Ｉ）及び染料（II）を含む第１実施形態の染料混合物を、効率的に製造することができる。
【００５５】
製法Ａにおけるジアゾカップリング工程では、反応温度及び反応溶媒の少なくとも一方を調整することによって、反応主生成物である染料（Ｉ）の生成量及び反応副生成物である染料（II）の生成量を調整する。
具体的には、反応温度を上昇させるほど、反応副生成物の生成量が増える傾向となる。
更に、反応溶媒中のアルコール系溶媒及び水の含有比率が下がるほど、反応副生成物の生成量が増える傾向となる。
【００５６】
製法Ａのジアゾカップリング工程における反応温度は、０℃〜６０℃が好ましく、５℃〜３５℃がより好ましい。
製法Ａのジアゾカップリング工程における反応時間は、０．５時間〜２４時間が好ましく、０．５時間〜３時間がより好ましく、１時間〜３時間が特に好ましい。
【００５７】
反応溶媒中のアルコール系溶媒及び水の含有比率は、全反応溶媒に対し、体積比で９０％以下が好ましく、８０％以下がより好ましく、７０％以下が更に好ましい。
【００５８】
製法Ａにおいて、ジアゾニウム塩（Ｉ−β）の使用量は、化合物（Ｉ−α）の使用量に対し、０．８モル倍〜１．２モル倍が好ましく、０．９モル倍〜１．１モル倍がより好ましく、理想的には１．０モル倍である。
【００５９】
式（Ｉ−β）において、Ｘ−は、酸からプロトンが解離することによって生じた一価のアニオンを表す。
上記酸としては、リン酸、酢酸、プロピオン酸、塩酸、硫酸、ニトロシル硫酸等が挙げられる。
【００６０】
製法Ａのジアゾカップリング工程において、使用されるジアゾニウム塩（Ｉ−β）は、１種のみであっても２種以上であってもよい。
【００６１】
製法Ａにおける反応溶媒としては特に制限はなく、例えば、水、アミド系溶媒（例えばＮ，Ｎ−ジメチルホルムアミド、Ｎ，Ｎ−ジメチルアセトアミド、１−メチルー２−ピロリドン）、スルホン系溶媒（例えばスルホラン）、スルホキシド系溶媒（例えばジメチルスルホキシド）、ウレイド系溶媒（例えばテトラメチルウレア）、エーテル系溶媒（例えばジオキサン、シクロペンチルメチルエーテル）、ケトン系溶媒（例えばアセトン、シクロヘキサノン）、炭化水素系溶媒（例えばトルエン、キシレン、ｎ−デカン）、ハロゲン系溶媒（例えばテトラクロロエタン、クロロベンゼン）、アルコール系溶媒（例えばメタノール、エタノール、イソプロピルアルコール、エチレングリコール、シクロヘキサノール、メチルセルソルブ、メチルプロピレングリコール）、ピリジン系溶媒（例えばピリジン、γ―ピコリン、２，６−ルチジン）、フェノール系溶媒（フェノール、ｐ−メトキシフェノール）、及びエステル系溶媒（例えば酢酸エチル、酢酸ブチル）からなる群から選択される少なくとも１種（即ち、単一溶媒でも混合溶媒でもよい）を用いることができる。
【００６２】
製法Ａのジアゾカップリング工程後は、反応によって生成された染料混合物を含む反応液に対し、水及びメタノールの混合溶媒、及び酢酸ナトリウム水溶液を順次加える方法等、公知の方法によって染料混合物を析出させ、反応液から取り出すことができる。
【００６３】
−有機アミン塩形成工程、ジアゾニウム塩生成工程−
製法Ａは、更に、ジアゾカップリング工程の前に、
下記式（Ａ−１）で表されるアミン化合物（Ａ−１）とリン酸（Ｈ３ＰＯ４）との塩である有機アミン塩（Ｉ−β−２）を形成させる有機アミン塩形成工程と、
有機アミン塩（Ｉ−β−２）を用いてジアゾニウム塩（Ｉ−β）を生成させるジアゾニウム塩生成工程と、
を有する態様が好ましい。
この態様において、リン酸に代えて、リン酸以外のリンのオキソ酸（例えばホスホン酸）を用いることもできる。しかし、合成容易性及び入手容易性の観点から、リン酸を用いることが好ましい。
なお、下記式（Ａ−１）及び下記式（Ｉ−β−２）において、Ｍｅは、メチル基を表す。
【００６４】
【化１１】
0006443888.tif 000012
【００６５】
アミノピラゾール骨格を有するアミン化合物（Ａ−１）は、染料の原料として用いる際に、濃縮及び精製等の操作を要する化合物である。
しかし、アミン化合物（Ａ−１）とリン酸との塩である有機アミン塩（Ｉ−β−２）を形成させる上記態様によれば、上記アミン化合物（Ａ−１）を、濃縮及び精製等の操作を行わずとも、上記有機アミン塩（Ｉ−β−２）の結晶として容易に取り出すことができる。
上記有機アミン塩（Ｉ−β−２）を用いてジアゾニウム塩（Ｉ−β）を生成させ、精製したジアゾニウム塩（Ｉ−β）を用いて染料（Ｉ）及び染料（II）を含む染料混合物を製造することにより、この染料混合物を高収率で製造することができる。
【００６６】
有機アミン塩（Ｉ−β−２）は、アミン化合物（Ａ−１）とリン酸（Ｈ３ＰＯ４）との中和反応によって形成することができる。
中和反応の方法としては、アミン化合物（Ａ−１）を含むアミン溶液に対してリン酸を添加する方法、リン酸溶液に対してアミン化合物（Ａ−１）を添加する方法、等が挙げられる。
ここで、「リン酸を添加する」との概念には、リン酸のみを添加することだけでなく、リン酸を含む酸溶液を添加することも包含される。同様に、「アミン化合物（Ａ−１）を添加する」との概念には、アミン化合物（Ａ−１）のみを添加することだけでなく、アミン化合物（Ａ−１）を含むアミン溶液を添加することも包含される。
上記２つの方法のうち、有機アミン塩を効率良く生成させる観点からは、アミン化合物（Ａ−１）を含むアミン溶液に対してリン酸を添加する方法が好ましい。
【００６７】
アミン溶液における溶媒としては、上述した反応溶媒を用いることができ、中でも、アルコール（特にメタノール、エタノール)、及びニトリル系溶媒(特にアセトニトリル)からなる群から選択される少なくとも１種を含むことが特に好ましい。
【００６８】
アミン溶液中におけるアミン化合物（Ａ−１）の濃度は、アミン溶液の全量に対し、１質量％〜１００質量％が好ましく、５質量％〜５０質量％がより好ましく、１０質量％〜３０質量％が特に好ましい。
【００６９】
アミン溶液は、例えば、アクリロニトリル化合物とヒドラジン化合物との環化反応（例えば、特表２００６−５１５２８２号公報の段落００２３〜００２４に記載された反応）等、アミノピラゾール骨格を有する化合物を合成する一般的な合成方法を用いて製造することができる。
【００７０】
リン酸溶液における溶媒としては、上述した反応溶媒を用いることができる。リン酸溶液における溶媒は、少なくとも水を含むことが特に好ましい。
【００７１】
リン酸溶液におけるリン酸の濃度は、リン酸溶液の全量に対し、１質量％〜１００質量％が好ましく、５０質量％〜９５質量％がより好ましく、８０質量％〜９０質量％が特に好ましい。
【００７２】
また、アミン化合物（Ａ−１）とリン酸との中和反応の反応温度は、−７８℃〜１００℃が好ましく、０℃〜５０℃がより好ましく、０℃〜３０℃がさらに好ましい。
【００７３】
ジアゾニウム塩生成工程において、有機アミン塩（Ｉ−β−２）を用いてジアゾニウム塩（Ｉ−β）を生成させる方法には特に制限はなく、公知の方法を用いることができる。
有機アミン塩（Ｉ−β−２）を用いてジアゾニウム塩（Ｉ−β）を生成させる方法としては、酸の存在下、有機アミン塩（Ｉ−β−２）に、亜硝酸塩又は亜硝酸エステルを作用させる方法が挙げられる。
【００７４】
ジアゾニウム塩生成工程における上記酸としては、リン酸、酢酸、プロピオン酸、塩酸、硫酸、ニトロシル硫酸等が挙げられる。
上記酸は、一種のみであっても二種以上であってもよい。
ジアゾニウム塩（Ｉ−β）中のＸ−は、上記酸からプロトンが解離することによって生じた一価のアニオンである。
【００７５】
ジアゾニウム塩生成工程における上記酸は、目的物である染料混合物の収率及び色純度をより向上させる観点から、ニトロシル硫酸を含むことが好ましい。
【００７６】
〔第２実施形態の染料混合物の製造方法〕
第２実施形態の染料混合物を製造する方法には特に制限はない。
第２実施形態の染料混合物を製造する方法は、例えば、公知のジアゾカップリング反応によって染料（III）及び染料（IV）をそれぞれ合成し、両者を、染料（IV）の含有量が前述した範囲となるように混ぜ合わせる方法であってもよい。
しかし、第２実施形態の染料混合物を製造する方法としては、染料混合物の製造効率の観点から、以下に示す製法Ｂが好ましい。
【００７７】
−製法Ｂ−
製法Ｂは、下記式（Ｉ−α）で表される化合物（Ｉ−α）と下記式（III−β）で表されるジアゾニウム塩（III−β）とをジアゾカップリング反応させ、ジアゾカップリング反応の反応主生成物として染料（III）を得、かつ、ジアゾカップリング反応の反応副生成物として、染料（III）及び染料（IV）の総含有量に対する含有量０．００１質量％〜５質量％である染料（IV）を得ることにより、第２の実施形態の染料混合物を得るジアゾカップリング工程を有する第２の実施形態の染料混合物の製造方法である。
ここで、反応主生成物である染料（III）は、化合物（Ｉ−α）のフェノール性水酸基に対してパラ位にジアゾニウム塩（III−β）がジアゾカップリングした化合物である。
また、反応副生成物である染料（IV）は、化合物（Ｉ−α）のフェノール性水酸基に対してオルト位にジアゾニウム塩（III−β）がジアゾカップリングした化合物である。
【００７８】
【化１２】
0006443888.tif 000013
【００７９】
式（III−β）において、Ｘ−は、酸からプロトンが解離することによって生じた一価のアニオンを表し、Ｍｅは、メチル基を表す。
式（III−β）中のＸ−の好ましい範囲は、式（Ｉ−β）中のＸ−の好ましい範囲と同様である。
【００８０】
製法Ｂによれば、染料（III）及び染料（IV）を含む第２実施形態の染料混合物を、効率的に製造することができる。
【００８１】
製法Ｂにおけるジアゾカップリング工程では、反応温度、反応溶媒の少なくとも１つを調整することによって、反応主生成物である染料（III）の生成量及び反応副生成物である染料（IV）の生成量を調整する。
具体的には、反応温度を上昇させるほど、反応副生成物の生成量が増える傾向となる。
更に、反応溶媒中のアルコール系溶媒及び水の含有比率が下がるほど、反応副生成物の生成量が増える傾向となる。
【００８２】
製法Ｂのジアゾカップリング工程における反応温度は、−１０℃〜６０℃が好ましく、―５℃〜３５℃がより好ましく、０℃〜２０℃が特に好ましい。
製法Ｂのジアゾカップリング工程における反応時間は、０．５時間〜２４時間が好ましく、０．５時間〜３時間がより好ましく、１時間〜３時間が特に好ましい。
【００８３】
反応溶媒中のアルコール系溶媒及び水の含有比率は、全反応溶媒に対し、体積比で９０％以下が好ましく、８０％以下がより好ましく、７０％以下が更に好ましい。
【００８４】
製法Ｂにおいて、ジアゾニウム塩（III−β）の使用量は、化合物（Ｉ−α）の使用量に対し、０．８モル倍〜１．２モル倍が好ましく、０．９モル倍〜１．１モル倍がより好ましく、理想的には１．０モル倍である。
【００８５】
製法Ｂは、ジアゾカップリング工程後に、ジアゾカップリング工程による反応生成物（染料混合物）を精製する精製工程を有することが好ましい。
精製工程は、ジアゾカップリング工程による反応生成物（染料混合物）と、Ｎ，Ｎ’−ジメチルプロピレンウレア（ＤＭＰＵ）である第１溶媒とを、第１溶媒とは異なる第２溶媒中で接触させる段階を含むことが好ましい。
この段階を含むことにより、より高純度の染料混合物（第２実施形態の染料混合物）を得ることができる。
ここで、第２実施形態の染料混合物について、高純度とは、染料（III）及び染料（IV）以外の成分（即ち、第２実施形態の染料混合物にとっての不純物）が低減されていることを指す
【００８６】
上記段階を含むことによって第２実施形態の染料混合物の純度が向上する理由としては、以下の理由が考えられる。
上記段階では、ジアゾカップリング工程による反応生成物中に含まれる不純物が第２溶媒に溶解し、かつ、反応生成物中の第２実施形態の染料混合物と、第１溶媒としてのＤＭＰＵと、が相互作用することにより、第２実施形態の染料混合物とＤＭＰＵとの組成物が析出すると考えられる。このため、析出した組成物中には、不純物の量が低減され、純度が高い第２実施形態の染料混合物が含まれていると考えられる。
そして組成物に酸処理等を施すことにより、組成物から、純度が高い第２実施形態の染料混合物を分離することができると考えられる。
ここでいう組成物とは、以下の構成の組成物である。
【００８７】
【化１３】
0006443888.tif 000014
【００８８】
第２実施形態の染料混合物とＤＭＰＵとの組成物から第２実施形態の染料混合物を得る（分離する）方法としては、一般的な方法を用いることができるが、例えば、上記組成物を酸処理する方法、上記組成物をイオン交換膜樹脂に通す方法などが挙げられる。
酸処理に用いる酸としては、塩酸、硫酸、リン酸などの鉱酸、メタンスルホン酸、トリフルオロ酢酸などの有機酸が挙げられる。
また、酸処理に酸水溶液を用いる場合、酸水溶液中の酸の濃度は、１質量％〜１０質量％が好ましく、３質量％〜６質量％がより好ましい。
【００８９】
上記酸処理の具体的な方法としては、固体の上記組成物を含む液体に酸を加える方法；酸を含む溶液に固体の上記組成物を加える方法；固体の上記組成物を、酸を含む溶液で洗浄する方法；等が挙げられる。
酸処理は、加熱下（例えば、液温１０℃〜８０℃の条件下、好ましくは液温３０℃〜６０℃の条件下）で行ってもよい。
【００９０】
上記酸処理の後は、ろ過などによって、第２実施形態の染料混合物を液中から分離し、分離した、第２実施形態の染料混合物を乾燥させることにより、純度が高い、第２実施形態の染料混合物を得ることができる。
【００９１】
また、上記段階において、ジアゾカップリング工程による反応生成物（以下、「特定反応生成物」ともいう）に対するＤＭＰＵ（第１溶媒）の質量比〔ＤＭＰＵ／特定反応生成物〕は、０．５〜１０が好ましく、０．８〜５がより好ましく、１〜３が特に好ましい。
【００９２】
また、上記段階において、第２溶媒に対する特定反応生成物及びＤＭＰＵの合計の濃度〔（特定反応生成物＋ＤＭＰＵ）／第２溶媒〕は、５０ｇ／Ｌ〜７００ｇ／Ｌが好ましく、１００ｇ／Ｌ〜５００ｇ／Ｌがより好ましい。
【００９３】
また、上記段階において、特定反応生成物とＤＭＰＵとの接触時間は、３分間〜３時間が好ましく、１０分間〜２時間がより好ましく、１５分間〜１時間が特に好ましい。
【００９４】
また、上記段階において、ＤＭＰＵ、第２溶媒、及び特定反応生成物を含む混合溶液の液温は、３０℃〜８０℃が好ましく、４０℃〜７０℃がより好ましく、４０℃〜６０℃が特に好ましい。
【００９５】
第２溶媒は、ＤＭＰＵとは異なる溶媒であり、中でも、ジアゾカップリング工程時に混入した不純物を溶解し、かつ、第２実施形態の染料混合物を析出させる溶媒が好適である。
第２溶媒として、具体的には、
トルエン、キシレン、メシチレン、エチルベンゼン等の芳香族炭化水素系溶媒；
酢酸エチル、酢酸プロピル、酢酸ブチル、プロピオン酸エチル等のエステル系溶媒；
アセトン、メチルエチルケトン、メチルイソブチルケトン等のケトン系溶媒；
アセトニトリル、プロピオニトリル等のニトリル系溶媒；
ジイソプロピルエーテル、メチル−ｔ−ブチルエーテル、テトラヒドロフラン、ジオキサン等のエーテル系溶媒；
ヘキサン、ヘプタン、オクタン、シクロヘキサン等の脂肪族炭化水素系溶媒；
エタノール、メタノール、イソプロパノール、エチレングリコール等のアルコール系溶媒；等が挙げられる。
第２溶媒としては、芳香族炭化水素系溶媒、エステル系溶媒、ケトン系溶媒、ニトリル系溶媒、又はエーテル系溶媒が好ましく、芳香族炭化水素系溶媒（好ましくはトルエン）、エステル系溶媒（好ましくは酢酸エチル）、又はケトン系溶媒（好ましくはアセトン）がより好ましく、芳香族炭化水素系溶媒（好ましくはトルエン）又はエステル系溶媒（好ましくは酢酸エチル）が特に好ましい。
【００９６】
〔第３の実施形態の染料混合物の製造方法〕
第３の実施形態の染料混合物を製造する方法には特に制限はない。
第３の実施形態の染料混合物を製造する方法は、例えば、公知のジアゾカップリング反応によって染料（Ｖ）及び染料（VI）をそれぞれ合成し、両者を、染料（VI）の含有量が前述した範囲となるように混ぜ合わせる方法であってもよい。
第３の実施形態の染料混合物を製造する方法としては、染料混合物の製造効率の観点から、下記製法Ｃが好ましい。
【００９７】
製法Ｃは、
下記式（Ｉ−α）で表される化合物（Ｉ−α）と下記式（Ｖ−β）で表されるジアゾニウム塩（Ｖ−β）とをジアゾカップリング反応させ、ジアゾカップリング反応の反応主生成物及び反応副生成物を得るジアゾカップリング工程と、
ジアゾカップリング工程によって生じた反応主生成物及び反応副生成物に対し、アルキルスルホニルクロライド又はアリールスルホニルクロライドと、塩素化剤と、をこの順に反応させる塩素化工程と、
塩素化工程によって生じた塩素化物に対し、アンモニアを反応させることにより、第３の実施形態の染料混合物を得るアミン化工程と、
を有する第３の実施形態の染料混合物の製造方法である。
ここで、ジアゾカップリング反応の反応主生成物は、化合物（Ｉ−α）のフェノール性水酸基に対してパラ位にジアゾニウム塩（Ｖ−β）がジアゾカップリングした化合物である。
また、ジアゾカップリング反応の反応副生成物は、化合物（Ｉ−α）のフェノール性水酸基に対してオルト位にジアゾニウム塩（Ｖ−β）がジアゾカップリングした化合物である。
製法Ｃでは、ジアゾカップリング工程において反応主生成物と反応副生成物との混合物が得られ、得られた混合物に対し塩素化工程及びアミン化工程を順次施すことにより、染料（Ｖ）及び染料（VI）の混合物である第３の実施形態の染料混合物が得られる。
【００９８】
【化１４】
0006443888.tif 000015
【００９９】
式（Ｖ−β）において、Ｘ−は、酸からプロトンが解離することによって生じた一価のアニオンを表す。
式（Ｖ−β）中のＸ−の好ましい範囲は、式（Ｉ−β）中のＸ−の好ましい範囲と同様である。
【０１００】
製法Ｃによれば、染料（Ｖ）及び染料（VI）を含む第３実施形態の染料混合物を、効率的に製造することができる。
【０１０１】
製法Ｃにおけるジアゾカップリング工程では、反応温度及び反応溶媒の少なくとも一方を調整することによって、反応主生成物である染料（Ｖ）の生成量及び反応副生成物である染料（VI）の生成量を調整する。
具体的には、反応温度を上昇させるほど、反応副生成物の生成量が増える傾向となる。
更に、反応溶媒中のアルコール系溶媒及び水の含有比率が下がるほど、反応副生成物の生成量が増える傾向となる。
【０１０２】
製法Ｃのジアゾカップリング工程における反応温度は、０℃〜６０℃が好ましく、５℃〜３５℃がより好ましい。
製法Ｃのジアゾカップリング工程における反応時間は、０．５時間〜２４時間が好ましく、０．５時間〜３時間がより好ましく、１時間〜３時間が特に好ましい。
【０１０３】
反応溶媒中のアルコール系溶媒及び水の含有比率は、全反応溶媒に対し、体積比で９０％以下が好ましく、８０％以下がより好ましく、７０％以下が更に好ましい。
【０１０４】
製法Ｃにおいて、ジアゾニウム塩（Ｖ−β）の使用量は、化合物（Ｉ−α）の使用量に対し、０．８モル倍〜１．２モル倍が好ましく、０．９モル倍〜１．１モル倍がより好ましく、理想的には１．０モル倍である。
【０１０５】
製法Ｃは、ジアゾカップリング工程によって生じた反応生成物に対し、アルキルスルホニルクロライド又はアリールスルホニルクロライドと、塩素化剤と、をこの順に反応させる塩素化工程と、
塩素化工程によって生じた塩素化物に対し、アンモニアを反応させるアミン化工程と、
を有する。
【０１０６】
塩素化工程において、アルキルスルホニルクロライド又はアリールスルホニルクロライドを反応させる段階は、フェノール性水酸基の保護段階である。即ち、塩素化工程では、アルキルスルホニルクロライド又はアリールスルホニルクロライドによってフェノール性水酸基の保護を行った後、スルホ基の塩素化を行う。
【０１０７】
アミン化工程は、塩素化工程で塩素化されたスルホ基（−ＳＯ２Ｃｌ基）を、アミン化する（即ち、スルホンアミド化（−ＳＯ２ＮＨ２基化）する）工程である。
アミン化工程により、最終目的物である、染料（Ｖ）と染料（VI）とを含む第３実施形態の染料混合物が得られる。
【０１０８】
製法Ｃによれば、ジアゾカップリング工程、塩素化工程、及びアミン化工程を経ることにより、第３実施形態の染料混合物を高収率で得ることができる。
【０１０９】
−ジアゾカップリング工程の好ましい態様−
製法Ｃのジアゾカップリング工程において、化合物（Ｉ−α）とジアゾニウム塩（Ｖ−β）との反応は、有機アミン化合物（例えばトリエチルアミン）の存在下で行う態様が好ましい。
この態様では、ジアゾカップリング工程の反応生成物を、有機アミン化合物との塩（有機アミン塩）として析出させることができる。生じた有機アミン塩は、取り扱い性（例えばろ過性）に優れる化合物である。
ジアゾカップリング工程を上記態様とした場合には、上記有機アミン塩の優れた取り扱い性（例えばろ過性）に起因して、最終目的物である第３実施形態の染料混合物の収率がより向上する。
【０１１０】
上記有機アミン化合物としては、トリエチルアミン以外にも、トリメチルアミン、トリｎ−プロピルアミン、トリイソプロピルアミン、トリｎ−ブチルアミン、ジイソプロピルエチルアミン、トリアミルアミン、Ｎ−メチルジエタノールアミン、ジエチル−ｎ−ブチルアミン、メチルジ−ｎ−ブチルアミン、メチルエチル−ｎ−ブチルアミン、ドデシルジメチルアミン、ヘキサメチレンテトラミン、１，８−ジアザビシクロ［５．４．０］ウンデ−７−セン（ＤＢＵ）、１，４−ジアザビシクロ［２．２，２］オクタン（ＤＡＢＣＯ）、１，５−ジアザビシクロ[４．３．０]ノン−５−エン、Ｎ−メチルピペリジン、Ｎ−エチルピペリジン、Ｎ−メチルモルホリン、Ｎ−エチルモルホリン、Ｎ−メチルピロリジン、Ｎ−エチルピロリジン、ジメチルシクロヘキシルアミン、ジエチルシクロヘキシルアミン、トリシクロヘキシルアミン等が挙げられる。
【０１１１】
有機アミン化合物の存在下で行う場合のジアゾカップリング工程の反応温度は、−１０℃〜６０℃が好ましく、−５℃〜３５℃がより好ましく、０℃〜２０℃が特に好ましい。
この場合のジアゾカップリング工程の反応時間は、０．３時間〜３時間が好ましく、０．３時間〜２時間がより好ましい。
【０１１２】
有機アミン化合物の存在下で行う場合のジアゾカップリング工程において、有機アミン化合物の使用量は、化合物（Ｉ−α）の使用量に対し、１．５モル倍〜６．０モル倍が好ましく、２．０モル倍〜５．０モル倍がより好ましく、２．５モル倍〜４．５モル倍がより好ましい。
【０１１３】
有機アミン化合物の存在下で行う場合のジアゾカップリング工程では、上記反応後の混合物に対し、酸を添加することにより、上記有機アミン塩を析出させることが好ましい。
添加する酸としては、塩酸（好ましくは濃塩酸）、硫酸、リン酸等が挙げられる。
添加する酸の量は、有機アミン化合物の量に対し、０．４０モル倍〜０．９５モル倍であることが好ましく、０．５０モル倍〜０．９０モル倍であることがより好ましく、０．６０モル倍〜０．８５モル倍であることが特に好ましい。
添加する酸の量が有機アミン化合物の量に対して０．９５モル倍以下であると、有機アミン塩をより析出させ易い。
【０１１４】
−塩素化工程の好ましい態様−
塩素化工程は、ジアゾカップリング工程（好ましくは有機アミン化合物の存在下で行うジアゾカップリング工程）によって生じた反応生成物（好ましくは上記有機アミン塩）に対し、アルキルスルホニルクロライド又はアリールスルホニルクロライドと、塩素化剤と、をこの順に反応させる工程である。
【０１１５】
−−保護段階−−
塩素化工程において、上記反応生成物（好ましくは上記有機アミン塩）に対し、アルキルスルホニルクロライド又はアリールスルホニルクロライドを反応させる段階は、上述のとおり、フェノール性水酸基を保護する保護段階である。
アルキルスルホニルクロライドにおけるアルキル基としては、メチル基、エチル基、プロピル基、ブチル基、ペンチル基、へキシル基、ヘプチル基、オクチル基、ノニル基、デシル基、等が挙げられ、メチル基、エチル基、プロピル基、ブチル基、ペンチル基、又はへキシル基が好ましく、メチル基、エチル基、又はプロピル基がより好ましく、メチル基又はエチル基が更に好ましく、メチル基が特に好ましい。
アリールスルホニルクロライドにおけるアリール基としては、フェニル基又はナフチル基が好ましく、フェニル基がより好ましい。
【０１１６】
保護段階（上記反応生成物（好ましくは上記有機アミン塩）中のフェノール性水酸基の保護を行う段階）の反応温度は、３０℃〜７０℃が好ましく、４０℃〜６５℃がより好ましく、４５℃〜６０℃が特に好ましい。
保護段階の反応時間は、０．３時間〜５時間が好ましく、０．３時間〜３時間がより好ましく、０．５時間〜２時間がより好ましい。
【０１１７】
保護段階において、上記反応生成物（好ましくは上記有機アミン塩）に対するアルキルスルホニルクロライド又はアリールスルホニルクロライドの使用量は、１．０モル倍〜３．０モル倍が好ましく、１．１モル倍〜２．０モル倍がより好ましい。
【０１１８】
また、保護段階の反応は、アルカリ性化合物の存在下で行うことが好ましい。これにより、フェノール性水酸基の反応性を向上させることができる。
アルカリ性化合物としては、前述した有機アミン化合物が挙げられる。
アルキルスルホニルクロライド又はアリールスルホニルクロライドに対するアルカリ性化合物の使用量は、１．０モル倍〜３．０モル倍が好ましく、１．３モル倍〜２．３モル倍がより好ましい。
【０１１９】
−−塩素化段階−−
塩素化工程において、保護段階後の反応生成物に対し、塩素化剤を反応させる段階は、前述のとおり、スルホ基の塩素化を行う塩素化段階である。
塩素化剤としては、オキシ塩化リン、塩化チオニル、五塩化リンなどが挙げられ、オキシ塩化リン、塩化チオニルが好ましく、オキシ塩化リンが特に好ましい。
【０１２０】
塩素化段階の反応温度は、３０℃〜７０℃が好ましく、４０℃〜６５℃がより好ましく、４５℃〜６０℃が特に好ましい。
塩素化段階の反応時間は、０．３時間〜５時間が好ましく、０．３時間〜３時間がより好ましく、１時間〜３時間がより好ましい。
【０１２１】
塩素化段階において、上記反応生成物（好ましくは上記有機アミン塩）に対する塩素化剤の使用量は、１．０モル倍〜４．０モル倍が好ましく、１．５モル倍〜３．０モル倍がより好ましく、２．０モル倍〜３．０モル倍が特に好ましい。
【０１２２】
また、保護段階後であって塩素化段階前には、保護段階後の反応溶液に対し、四級アンモニウム塩を添加することが好ましい。これにより、四級アンモニウム塩がフリーのスルホン酸とペアを作ることにより、溶解を助け、反応の進行を加速できる。
添加する四級アンモニウム塩としては、ベンジルトリエチルアンモニウムクロライド、テトラブチルアンモニウムクロリド、セチルピリジニウムクロリド、ベンジルトリエチルアンモニウムクロライド、ベンジルトリメチルアンモニウムクロライド、ベンジルトリブチルアンモニウムクロライド、テトラメチルアンモニウムクロライド、テトラエチルアンモニウムブロマイド、テトラエチルアンモニウムクロライド、テトラプロピルアンモニウムブロマイド、テトラブチルアンモニウムブロマイド、トリブチルメチルアンモニウムクロライド、トリオクチルメチルアンモニウムクロライド、フェニルトリメチルアンモニウムクロライド等が挙げられる。
【０１２３】
−アミン化工程の好ましい態様−
アミン化工程は、塩素化工程によって生じた塩素化物に対し、アンモニアを反応させる工程である。
本工程により、塩素化工程の塩素化段階で生成された−ＳＯ２Ｃｌ基が、スルホンアミド化（−ＳＯ２ＮＨ２基化）される。更に、塩素化工程の保護段階で保護されたフェノール性水酸基の脱保護も行われる。
本工程では、上記スルホンアミド化及び脱保護により、最終目的物である、染料（Ｖ）と染料（VI）とを含む第３実施形態の染料混合物が得られる。
【０１２４】
アミン化工程における反応温度は、２５℃〜５５℃が好ましく、３０℃〜５０℃がより好ましく、３５℃〜４５℃が特に好ましい。
アミン化工程における反応時間は、１〜５時間が好ましく、２〜４時間がより好ましい。
【０１２５】
また、アミン化工程は、
低温（好ましくは−５℃〜１０℃、より好ましくは−５℃〜５℃）の温度条件で反応を行う低温段階と、
低温段階後に高温（好ましくは２５℃〜５５℃、より好ましくは３０℃〜５０℃、特に好ましくは３５℃〜４５℃）の温度条件で（好ましくは１〜５時間、より好ましくは２〜４時間）反応を行う高温段階と、
を含む態様が特に好ましい。
この態様によれば、第３実施形態の染料混合物の収率を更に向上させることができる。
この理由は、まず低温段階でスルホンアミド化が進行し、次いで高温段階で脱保護が進行することにより、−ＳＯ２Ｃｌ基とフェノール性水酸基との反応（−ＳＯ２Ｃｌ基へのフェノール性水酸基の攻撃）が抑制され、その結果、第３実施形態の染料混合物が高収率で生成されるためと考えられる。
【０１２６】
アミン化工程において、塩素化工程によって生じた塩素化物に対するアンモニアの使用量は、３モル倍〜３０モル倍が好ましく、５モル倍〜２０モル倍がより好ましく、８モル倍〜１６モル倍が特に好ましい。
【実施例】
【０１２７】
以下、本発明を実施例により更に具体的に説明するが、出発物質、中間体および合成ルートは、以下の実施例に限定されるものではない。
以下において、「％」は、特に断りが無い限り、「質量％」を指す。
【０１２８】
〔染料（Ｉ）の合成（表１中、エントリー８）〕
＜有機アミン塩（Ｉ−β−２）の合成＞
下記のスキームに従って有機アミン塩（Ｉ−β−２）を合成した。
【０１２９】
【化１５】
0006443888.tif 000016
【０１３０】
（アミン化合物（Ａ−１）含有溶液Ｘの調製）
Ｈ２ＮＮＨ２・Ｈ２Ｏ（５０ｇ；１．０ｍｏｌ）をエタノール４０ｍＬに溶解し、得られた溶液を０℃に冷却した。冷却された溶液を攪拌しながら、ここにアクリロニトリル（５３ｇ；１．０ｍｏｌ）を滴下した後、１時間攪拌を行った。得られた溶液を放冷した後、ここにエタノール（２５０ｍＬ）とＮａＨＣＯ３（２．５ｇ）とを加え、更にホルムアルデヒド（３１ｇ；１．０ｍｏｌ）を添加した。得られた溶液を内温４５℃に加温し、３０分攪拌した。３０分攪拌後の溶液を０℃に冷却し、次いでここにＮａＯＥｔ（ナトリウムエトキシド）（３ｇ）を加えた。得られた溶液を内温８５℃に昇温し、３時間攪拌した後に放冷した。
以上により、アミン化合物（Ａ−１）を含有する溶液（アミン化合物（Ａ−１）含有溶液Ｘ）を得た。
【０１３１】
（有機アミン塩（Ｉ−β−２）の合成）
アミン化合物（Ａ−１）含有溶液にメタノール７００ｍＬを加えた。得られた溶液を内温５℃で攪拌しながら、この溶液にリン酸（Ｈ３ＰＯ４）の８５質量％水溶液１２０ｇ（Ｈ３ＰＯ４の量として１．０ｍｏｌ）を滴下した。滴下により、結晶が析出した。析出した結晶をろ取し、有機アミン塩（Ｉ−β−２）の結晶（微黄色〜白色の結晶）１１１ｇを得た（収率５７％）。
なお、収率は、原料であるＨ２ＮＮＨ２・Ｈ２Ｏの量に基づく収率である。
【０１３２】
有機アミン塩（Ｉ−β−２）の構造は、ＮＭＲ及びイオンクロマトグラフィーにより確認した。
その結果、有機アミン塩（Ｉ−β−２）は、アミン化合物（Ａ−１）から導かれる３価のカチオンとリン酸から導かれる３価のアニオンとのモル比（３価のカチオン：３価のアニオン）が１：１である化合物であることが確認された。
【０１３３】
＜染料（Ｉ）の合成＞
下記スキームに従って染料（Ｉ）を合成した。
【０１３４】
【化１６】
0006443888.tif 000017
【０１３５】
酢酸１８０ｇ及び濃硫酸２０ｇを混合した混合液に、混合液の温度２５℃にてニトロシル硫酸１４０ｇを分割添加した。得られた反応混合液を１０℃以下に冷却し、有機アミン塩（Ｉ−β−２）８０ｇを、反応混合液の温度を２５℃以下に保ちながら、分割添加した。添加後、この反応混合液を２５℃以下で３０分攪拌してジアゾニウム塩化した後、尿素４ｇを添加し、さらに３０分攪拌して、余分のニトロシル硫酸を失活させた。
このようにして、ジアゾニウム塩（Ｉ−β）を含む混合物を調製した。
上記において、ＮＯｘの発生及び反応混合物の発泡はみられなかった。
ジアゾニウム塩（Ｉ−β）において、Ｘ−は、酢酸からプロトンが解離してなる一価のアニオン、硫酸からプロトンが解離してなる一価のアニオン、又はニトロシル硫酸からプロトンが解離してなる一価のアニオンである。この染料（Ｉ）の合成におけるジアゾニウム塩（Ｉ−β）は、アニオンの種類が異なる三種のジアゾニウム塩の混合物と考えられる。
【０１３６】
次に、化合物（Ｉ−α）（２−クロロフェノール）７９ｇ及びメタノール３４０ｍＬを混合した混合液を０℃以下に冷却し、この混合液に上記のジアゾニウム塩（Ｉ−β）を含む混合物を、混合液の温度を１０℃以下に保って滴下し、反応させた（ジアゾカップリング反応）。得られた反応混合物を１０℃以下で３０分攪拌した後、この反応混合物に、水４００ｍＬと、酢酸ナトリウム水溶液（酢酸ナトリウム２２０ｇを水５５０ｍＬに溶解した水溶液）と、をこの順にゆっくり加えた。その後、反応混合物を６０℃以上に昇温して１時間以上攪拌した後、３０℃以下まで冷却した。冷却により析出した結晶をろ取し、水洗することで、染料（Ｉ）の粗結晶を得た。
上記において、反応媒質の流動性は良好に保たれたため、少ない溶媒量に抑えながらも、染料を生成でき、また粗結晶での色純度も優れたものであった。
ここでの染料（Ｉ）の粗結晶の純度（ＨＰＬＣ（高速液体クロマトグラフィー），ａｒｅａ％）は、９９．３％であった。
【０１３７】
続いて、得られた粗結晶をメタノール９００ｍＬ、トリエチルアミン５０ｇ、及び水３００ｍＬからなる混合溶媒に加え、５０℃以上で攪拌した。攪拌して得られた溶液に、濃硫酸２２ｇ及び水９０ｍＬの混合液を滴下し、２５℃以下まで冷却した。冷却により析出した結晶をろ取し、水、メタノールを用いてこの順で洗浄し、乾燥させることにより、８６．４ｇの染料（Ｉ）を得た（収率８７．０％）。
なお、最終的に得られた染料（Ｉ）の純度（ＨＰＬＣ，ａｒｅａ％）は、９９．９％であった。
【０１３８】
〔染料（Ｉ）及び染料（II）の染料混合物の合成（表１中、エントリー１〜７）〕
染料（Ｉ）の合成において、以下の点を変更したこと以外は染料（Ｉ）の合成と同様にして、染料（Ｉ）及び染料（II）の染料混合物（表１中、エントリー１〜７）をそれぞれ得た。
−染料（Ｉ）の合成に対する変更点−
ジアゾカップリング反応の温度（「１０℃以下」）を、５℃〜３５℃の範囲に種々変更した。
【０１３９】
なお、本実施例において、染料（Ｉ）〜染料（VI）の同定は、以下のように行った。
主たる反応生成物である、染料（Ｉ）、染料（III）、及び染料（Ｖ）の同定は、それぞれ、直接、ＮＭＲ及び質量スペクトルを測定することにより行った。
反応副生成物である、染料（II）、染料（IV）、及び染料（VI）の同定は、それぞれ、高性能液体クロマトフィーで分離したピークの、質量スペクトル及び吸収スペクトルを測定することにより行った。
【０１４０】
〔染料（II）の含有量の測定（表１中、エントリー１〜８）〕
上記で得られた染料（Ｉ）、及び、各染料混合物のそれぞれについて、下記条件のＨＰＬＣ（高速液体クロマトグラフィー）により、染料（II）の含有量（質量％）を測定した。
結果を表１に示す。
ここで、「染料（II）の含有量（質量％）」とは、染料（Ｉ）及び染料（II）の合計量に対する染料（II）の量（質量％）である。
また、下記のＨＰＬＣの条件による、染料（Ｉ）及び染料（II）の各々のｒ．ｔ．（retention time）は以下のとおりである。
【０１４１】
−ＨＰＬＣの条件−
検出器  ：紫外吸光光度計（測定波長２５４ｎｍ）
カラム  ：東ソー（株）製  ＯＤＳ−８０Ｔｓ（内径４．６ｍｍ、長さ１５０ｍｍ、粒子径５μｍ）
カラム温度：４０℃
移動相    ：
Ａ液  …  純水＋トリエチルアミン０．１％及び酢酸０．１％
Ｂ液  …  メタノール＋トリエチルアミン０．１％及び酢酸０．１％
グラジエント・タイムプログラム：
０−１０ｍｉｎ      Ｂ．Ｃｏｎｃ    ６０％
１０−２５ｍｉｎ    Ｂ．Ｃｏｎｃ    ６０→９０％
２５−４０ｍｉｎ    Ｂ．Ｃｏｎｃ    ９０％
４０−４３ｍｉｎ    Ｂ．Ｃｏｎｃ    ９０→６０％
４３−５５ｍｉｎ    Ｂ．Ｃｏｎｃ    ６０％
５５ｍｉｎ          Ｂ．Ｃｏｎｃ    ＳＴＯＰ
流量      ：１．０ｍＬ／ｍｉｎ
分析時間  ：５５分
注入量    ：１０μＬ
【０１４２】
−染料（Ｉ）及び染料（II）のｒ．ｔ．−
染料（Ｉ）：９．０分
染料（II）：１２．９分
【０１４３】
〔染料（III）の合成（表１中、エントリー１６）〕
＜染料（III）（粗生成物）の合成＞
下記スキームに従って、染料（III）（粗生成物）の合成を行った。
【０１４４】
【化１７】
0006443888.tif 000018
【０１４５】
染料（III）の粗生成物の合成は、特許第４０８０９４７号公報の段落０１７４〜０１７６を参照して行った。
詳細には、５−アミノ−３−メチルチオ−１，２，４−チアジアゾール（１２．０ｍｍｏｌ）をリン酸（５０ｍＬ）に加え、得られた混合物を氷冷水中で冷却しつつ撹拌した。亜硝酸ナトリウム結晶（１．０ｇ）を上記混合物に加え、１時間撹拌することにより、ジアゾニウム塩（III−β）を含むジアゾ溶液を調製した。
２−クロロフェノール（即ち、化合物（Ｉ−α））（１０．０ｍｍｏｌ）をメタノール（６０ｍｌ）に加え、得られた混合物を氷冷水中で冷却しつつ撹拌した後、上記で調製したジアゾ溶液を徐々に加えた。得られた溶液を冷却下で１時間撹拌してジアゾカップリング反応を行い、更に１時間室温にて撹拌した後、水（１５０ｍｌ）と酢酸エチル（８０ｍｌ）を反応液に加え、有機層を抽出した。その後、有機層を飽和食塩水（６０ｍｌ）で２回洗浄し、洗浄有機層を減圧下濃縮し、シリカゲルカラムクロマトグラフィーで精製し、染料（III）の粗生成物（純度９７．５％）を得た。
【０１４６】
上記で得られた染料（III）の粗生成物５．０ｇ（純度９７．５％）を、第２溶媒としてのトルエン４０ｍＬに懸濁し、次いで液温を５０℃に昇温することにより、上記粗生成物を溶解させて溶液を得た。
上記溶液の液温を５０℃に維持したまま、上記溶液に対し、ＤＭＰＵ（Ｎ，Ｎ’−ジメチルプロピレンウレア；第１溶媒）９．０ｇを５分間かけて滴下し、３０分間加熱撹拌したところ、赤紫色の析出物が生じた。次に、上記析出物を含む反応液を、液温２５℃となるまで冷却した。
【０１４７】
次に、上記冷却後の反応液から析出物をろ取し、ろ取した析出物を乾燥させることにより、赤紫色の固体を５．８ｇ（収率８０％）得た。得られた固体を、ＮＭＲ、ガスクロマトグラフィー、及びＸ線構造解析によって分析したところ、この赤紫色の固体は、以下に示す、染料（III）とＤＭＰＵとからなる組成物であることが確認された。
【０１４８】
【化１８】
0006443888.tif 000019
【０１４９】
染料（III）とＤＭＰＵとからなる組成物のＮＭＲ測定結果を以下に示す。
−染料（III）とＤＭＰＵとからなる組成物のＮＭＲ測定結果−
1H NMR (400MHz, DMSO-d6): δ=8.04 (s, 1H), 7.93 (dd, 1H), 7.22 (d, 1H), 3.19 (t, 4H), 2.76 (s, 6H),2.52 (S, 3H) 2.51 (s, 1H), 1.88 (m, 2H)
【０１５０】
＜染料（III）の精製＞
上記赤紫色の固体を酸処理することにより、染料（III）の精製物を得た。以下、詳細を示す。
三つ口フラスコに、上記赤紫色の固体を５０ｇ、アセトニトリル２５０ｍＬ、及びアセトン３００ｍＬを投入し、室温にて攪拌して懸濁した。得られた懸濁液に対し、室温下、トリエチルアミン２５．２ｇを添加して溶解させ、内温を５０℃に昇温して溶液を得た。
別途、濃塩酸３０．６ｇ及び水３１５ｍＬを混合して希塩酸を調製した。
得られた希塩酸を、上記で５０℃に昇温された溶液に対し、５０℃で１時間かけて滴下した。得られた混合物を３０分攪拌した後、内温を２０℃に冷却した。冷却後の混合物から析出物をろ取し、ろ取した析出物を、水１００ｍＬ及びメタノール１００ｍＬで洗浄した。洗浄後の析出物を５０℃で２４時間乾燥し、染料（III）の精製物を２７ｇ（収率７８％）得た。
【０１５１】
次に、後述する染料（IV）の含有量の測定と同条件のＨＰＬＣにより、上記精製物における染料（III）の純度を測定した。その結果、上記精製物中の染料（III）の純度は９９．５％であり、粗生成物中の染料（III）の純度（９７．５％）に対して向上していることが確認された。
【０１５２】
〔染料（III）及び染料（IV）の染料混合物の合成（表１中、エントリー９〜１５）〕
染料（III）の合成において、以下の点を変更したこと以外は染料（Ｉ）の合成と同様にして、染料（III）及び染料（IV）の染料混合物（表１中、エントリー９〜１５）をそれぞれ得た。
−染料（III）の合成に対する変更点−
・ジアゾカップリング反応の温度（「氷冷水中での冷却下」）を、５℃〜３５℃の範囲に種々変更した。
【０１５３】
〔染料（IV）の含有量の測定（表１中、エントリー９〜１６）〕
上記で得られた染料（III）、及び、各染料混合物のそれぞれについて、下記条件のＨＰＬＣ（高速液体クロマトグラフィー）により、染料（IV）の含有量（質量％）を測定した。
結果を表１に示す。
ここで、「染料（IV）の含有量（質量％）」とは、染料（III）及び染料（IV）の合計量に対する染料（IV）の量（質量％）である。
また、下記のＨＰＬＣの条件による、染料（III）及び染料（IV）の各々のｒ．ｔ．（retention time）は以下のとおりである。
【０１５４】
−ＨＰＬＣの条件−
検出器  ：紫外吸光光度計（測定波長２５４ｎｍ）
カラム  ：東ソー（株）製  ＯＤＳ−８０Ｔｓ（内径４．６ｍｍ、長さ１５０ｍｍ、粒子径５μｍ）
カラム温度：４０℃
移動相    ：
Ａ液  …  純水＋トリエチルアミン０．１％及び酢酸０．１％
Ｂ液  …  メタノール＋トリエチルアミン０．１％及び酢酸０．１％
グラジエント・タイムプログラム：
０−６０ｍｉｎ      Ｂ．Ｃｏｎｃ    ３０→９０％
６０−７０ｍｉｎ    Ｂ．Ｃｏｎｃ    ９０％
７０−７５ｍｉｎ    Ｂ．Ｃｏｎｃ    ９０→３０％
９０ｍｉｎ          Ｂ．Ｃｏｎｃ    ＳＴＯＰ
流量      ：１．０ｍＬ／ｍｉｎ
分析時間  ：９０分
注入量    ：２０μＬ
【０１５５】
−染料（III）及び染料（IV）のｒ．ｔ．−
染料（III）：１７．５分
染料（IV） ：２８．６分
【０１５６】
〔染料（Ｖ）の合成（表１中、エントリー２４）〕
＜ジアゾニウム塩（Ｖ−β）の合成＞
アミン化合物（Ｖ−α）を原料とし、下記反応スキームに従い、ジアゾニウム塩（Ｖ−β）を合成した。
【０１５７】
【化１９】
0006443888.tif 000020
【０１５８】
上記反応スキームの詳細は以下のとおりである。
アミン化合物（Ｖ−α）（４５ｇ：０．１９５モル）を水酸化ナトリウム水溶液（２６０ｍＬ）に添加し、攪拌した。得られた混合物に、３５％塩酸水溶液（７１．３ｇ：０．６８３モル）を滴下し、１時間攪拌した。得られた混合物を撹拌しながら５℃まで冷却し、冷却後の混合物に、水（６０ｍＬ）に溶かした亜硝酸ナトリウム（２０．２ｇ：０．２９３モル）をゆっくり滴下した。得られた混合物を冷却下で３０分攪拌し、ジアゾニウム塩（Ｖ−β）を含むジアゾ液を得た。
ジアゾニウム塩（Ｖ−β）において、Ｘ−は、Ｃｌ−である。
【０１５９】
＜トリエチルアミン塩（Ｖ）−ａの合成＞
下記反応スキームに従い、ジアゾニウム塩（Ｖ−β）とオルトクロロフェノール（化合物（Ｉ−α））とを反応させることにより、トリエチルアミン塩（Ｖ）−ａを合成した。
なお、下記反応スキーム中では、便宜上、トリエチルアミン塩（Ｖ）−ａの構造を、アゾ化合物とトリエチルアミン（Ｅｔ３Ｎ）とを並べた構造として示している。しかし、実際のトリエチルアミン塩（Ｖ）−ａは、アゾ化合物の一価のアニオンと、トリエチルアミン（Ｅｔ３Ｎ）の一価のカチオンと、からなる塩である。
【０１６０】
【化２０】
0006443888.tif 000021
【０１６１】
上記反応スキームの詳細は以下のとおりである。
化合物（Ｉ−α）（２５．１ｇ：０．１９５モル）を、水（１２０ｍＬ）とアセトニトリル（２４０ｍＬ）との混合溶液に添加し、攪拌した。得られた混合物にトリエチルアミン（６５ｇ：０．６４２モル）を添加し、撹拌しながら０℃まで冷却した。得られた混合物を０℃に維持したまま、この混合物に、上記で調製した、ジアゾニウム塩（Ｖ−β）を含むジアゾ液を徐々に加えた。上記ジアゾ液を全て加えた後、得られた混合物を冷却下（０℃）で１時間攪拌してジアゾカップリング反応を行い、次いで濃塩酸（１７．１ｇ：０．４６９モル）を滴下したところ、結晶が析出した。析出した結晶を濾取してアセトンで洗浄し、さらに乾燥させることにより、粗結晶を得た。
得られた粗結晶を、メタノールと水とを用いて再結晶させることにより、トリエチルアミン塩（Ｖ）−ａの結晶を８２．７ｇ得た（収率９０％）。
【０１６２】
−トリエチルアミン塩（Ｖ）−ａのＮＭＲデータ−
1H NMR (DMSO-d6, 400 MHz) δ 1.19 (t, 9H), 3.10 (q, 6H), 7.23 (d, 1H), 7.74 (dd, 1H), 7.78 (dd, 1H), 7.96 (dd, 1H), 8.09 (d, 1H), 8.43 (dd, 1H), 8.84 (brs, 1H), 11.62 (brs, 1H).
【０１６３】
以上のように、ジアゾニウム塩（Ｖ−β）と化合物（Ｉ−α）と、を反応させることにより、トリエチルアミン塩（Ｖ）−ａを高収率で合成することができた。
更に、トリエチルアミン塩（Ｖ）−ａは、濾過性に優れており、取り扱い性に優れていた。この理由は、トリエチルアミン塩（７）−ａが、アゾ化合物単体（スルホン酸フリー体）ではなく、有機アミン塩であるためと考えられる。
【０１６４】
＜アゾ化合物（Ｖ）−ｃの合成＞
下記反応スキームに従い、トリエチルアミン塩（Ｖ）−ａとメタンスルホニルクロライド（ＭｓＣｌ）とを反応させてアゾ化合物（Ｖ）−ｂを合成し、得られたアゾ化合物（Ｖ）−ｂとオキシ塩化リン（ＰＯＣｌ３）とを反応させてアゾ化合物（Ｖ）−ｃを合成した。
ここで、メタンスルホニルクロライド（ＭｓＣｌ）は、アルキルスルホニルクロライドの例であり、オキシ塩化リン（ＰＯＣｌ３）は、塩素化剤の例である。
なお、「Ｍｓ」は、メシル基（即ち、メチルスルホニル基）を表す。
【０１６５】
【化２１】
0006443888.tif 000022
【０１６６】
上記反応スキームの詳細は以下のとおりである。
即ち、トリエチルアミン塩（Ｖ）−ａ（６５ｇ：０．１３４モル）を、ジメチルアセトアミド（ＤＭＡｃ）１６０ｍＬとアセトニトリル２０ｍＬとの混合溶媒に加え、得られた混合物にトリエチルアミン（Ｅｔ３Ｎ）（２９．３ｇ：０．２９０モル）を添加した。得られた混合物を撹拌しながら４０℃まで昇温することにより、アルカリ溶液を調製した。
メタンスルホニルクロライド（ＭｓＣｌ）（１９ｇ：０．１６６モル）をアセトニトリル２０ｍＬに加え、得られた混合物を攪拌した後、この混合物を、上記で調製されたアルカリ溶液に滴下した。得られた混合物を５０℃で１時間攪拌した後、ここにベンジルトリエチルアンモニウムクロリド（ＢＴＥＡＣ）（３７．７ｇ：０．１６６モル）を添加した。
以上により、アゾ化合物（Ｖ）−ｂを含む反応液を得た。
【０１６７】
アゾ化合物（Ｖ）−ｂを含む反応液を５０℃で攪拌しているところに、オキシ塩化リン（ＰＯＣｌ３）（４８．７ｇ：０．３１７モル）を滴下し、５５℃で２時間攪拌した。
得られた反応液を１０℃まで冷却し、水（２００ｍＬ）を滴下することで晶析した。析出した結晶を濾取した後、水洗し、乾燥させることにより、アゾ化合物（Ｖ）−ｃの結晶を５４．７ｇ得た（収率８５％）。
【０１６８】
−アゾ化合物（Ｖ）−ｃのＮＭＲデータ−
1H NMR (DMSO-d6, 400 MHz) δ 3.63 (s, 1H), 7.81-7.84 (m, 3H), 8.15 (dd, 1H), 8.33 (d, 1H), 8.51 (dd, 1H).
【０１６９】
以上のように、出発物質として、有機アミン塩であるトリエチルアミン塩（Ｖ）−ａを用いることにより、アゾ化合物（Ｖ）−ｃが高収率で得られることが確認された。
【０１７０】
＜染料（Ｖ）の合成＞
下記反応スキームに従い、アゾ化合物（Ｖ）−ｃを出発物質とし、染料（Ｖ）を合成した。
【０１７１】
【化２２】
0006443888.tif 000023
【０１７２】
上記反応スキームの詳細は以下のとおりである。
アゾ化合物（Ｖ）−ｃ（５４．７ｇ：０．１１７モル）を、０℃に冷却したジメチルアセトアミド（ＤＭＡｃ）（２００ｍＬ）に加え、攪拌した。得られた混合物を０℃に維持し、かつ、攪拌しながら、この混合物に２８％アンモニア水溶液（８５．７ｇ：１．４１モル）を滴下した。得られた混合物を４０℃まで昇温し、４０℃で３時間撹拌した。得られた反応液に、水（５００ｍＬ）を添加した後、濃塩酸（８２ｍＬ）を滴下し、攪拌した。
上記撹拌後の反応液を２０℃まで冷却したところ、結晶が析出した。析出した結晶を濾取した後、水洗し、乾燥させることにより、粗結晶を得た。
得られた粗結晶を、テトラヒドロフランと水とを用いて再結晶させることにより、染料（Ｖ）の結晶を３８．８ｇ得た（収率９０％）。
【０１７３】
−染料（Ｖ）のＮＭＲデータ−
1H NMR (DMSO-d6, 400 MHz) δ 7.23 (d, 1H), 7.63 (s, 2H), 7.92 (dd, 1H), 7.99 (dd, d, 2H), 8.14 (d, 1H), 8.73 (dd, 1H), 11.74 (brs, 1H).
【０１７４】
〔染料（Ｖ）及び染料（VI）の染料混合物の合成（表１中、エントリー１７〜２３）〕
染料（Ｖ）の合成において、以下の点を変更したこと以外は染料（Ｉ）の合成と同様にして、染料（Ｖ）及び染料（VI）の染料混合物をそれぞれ得た。
−染料（Ｖ）の合成に対する変更点−
・ジアゾカップリング反応の温度（０℃）を、５℃〜３５℃の範囲に種々変更した。
【０１７５】
〔染料（VI）の含有量の測定（表１中、エントリー１７〜２４）〕
上記で得られた染料（Ｖ）、及び、各染料混合物のそれぞれについて、下記条件のＨＰＬＣ（高速液体クロマトグラフィー）により、染料（VI）の含有量（質量％）を測定した。
結果を表１に示す。
ここで、「染料（VI）の含有量（質量％）」とは、染料（Ｖ）及び染料（VI）の合計量に対する染料（VI）の量（質量％）である。
また、下記のＨＰＬＣの条件により、染料（Ｖ）及び染料（VI）の各々を分析した。
【０１７６】
−ＨＰＬＣの条件−
検出器  ：紫外吸光光度計（測定波長２５４ｎｍ）
カラム  ：東ソー（株）製  ＯＤＳ−１００Ｖ（内径４．６ｍｍ、長さ７５ｍｍ、粒子径３μｍ）
カラム温度：４０℃
移動相    ：
Ａ液  …  純水＋リン酸０．１％
Ｂ液  …  アセトニトリル／メタノール混合溶液（アセトニトリル／メタノール＝９／１（質量比））＋リン酸０．１％
グラジエント・タイムプログラム：
０−３０ｍｉｎ      Ｂ．Ｃｏｎｃ    ２０→９０％
３０−４０ｍｉｎ    Ｂ．Ｃｏｎｃ    ９０％
４０−４５ｍｉｎ    Ｂ．Ｃｏｎｃ    ９０→２０％
６０ｍｉｎ          Ｂ．Ｃｏｎｃ    ＳＴＯＰ
流量      ：２．０ｍＬ／ｍｉｎ
分析時間  ：６０分
注入量    ：１０μＬ
【０１７７】
−染料（Ｖ）及び染料（ＶＩ）のｒ．ｔ．−
染料（Ｖ）：１２．３分
染料（ＶＩ） ：１３．７分
【０１７８】
〔エントリー１〜２４〕
＜染料水溶液の調製＞
下記組成の成分を混合し、染毛剤溶液を想定した染料水溶液を調製した。
【０１７９】
−染料水溶液の組成−
表１に示す染料混合物又は染料  …  ３００ｍｇ
２５質量％アンモニア水        …    ５．０ｇ
水              …  全量が１００ｇとなる残量
【０１８０】
＜染料の析出の評価＞
得られた染料水溶液１００ｇを５００ｍｌの容器（コニカルビーカー）に入れ、染料水溶液の温度を３０℃に保ち、容器を密閉せずにマグネチックスターラーで撹拌した。この状態で１週間保管した。
保管後、容器の内壁面（特に、染料水溶液と空気との境界線付近）を目視で観察し、下記評価基準に従って染料の析出を評価した。
結果を表１に示す。
【０１８１】
−染料の析出の評価基準−
Ａ：染料が全く析出しておらず、染料の析出が抑制されていた。
Ｂ：染料がわずかに析出したが、実用上の許容範囲内であった。
Ｃ：染料の析出が顕著であり、実用上の許容範囲を超えていた。
【０１８２】
＜色味の変化の評価＞
１０人の評価者それぞれが、目視により、主染料（例えばエントリー８の染料（Ｉ））の色味と、主染料及び副染料を含む染料混合物（例えばエントリー１〜７の染料混合物）の色味と、を対比し、両者の色味の違い（即ち、染料の混合による色味の変化）を確認した。
１０人の評価者それぞれの確認結果に基づき、下記評価基準により、色味の変化を評価した。
結果を表１に示す。
【０１８３】
−色味の変化の評価基準−
Ａ：色味が異なる（即ち、混合により色味が変化した）と判断した評価者が２名以下であり、色味の変化が抑制されていた。
Ｂ：色味が異なる（即ち、混合により色味が変化した）と判断した評価者が３名〜５名であり、色味の変化が実用上の許容範囲内であった。
Ｃ：色味が異なる（即ち、混合により色味が変化した）と判断した評価者が６名以上であり、色味の変化が実用上の許容範囲を超えていた。
【０１８４】
【表１】
0006443888.tif 000024
【０１８５】
表１に示すように、染料（Ｉ）及び染料（II）を含み、染料（Ｉ）及び染料（II）の総含有量に対する染料（II）の含有量が、０．００１質量％〜５質量％であるエントリー１〜６の染料混合物は、染料水溶液としたときに、染料の析出が抑制され、染料の混合による色味の変化が抑制されていた。
これに対し、染料（Ｉ）単体であるエントリー８の染料は、染料水溶液としたときに、染料の析出が発生した。
また、染料（Ｉ）及び染料（II）の総含有量に対する染料（II）の含有量が５質量％超であるエントリー７の染料混合物は、染料の混合による色味の変化が顕著であった。
【０１８６】
また、表１に示すように、染料（III）及び染料（IV）を含み、染料（III）及び染料（IV）の総含有量に対する染料（IV）の含有量が、０．００１質量％〜５質量％であるエントリー９〜１４の染料混合物は、染料水溶液としたときに、染料の析出が抑制され、染料の混合による色味の変化が抑制されていた。
これに対し、染料（III）単体であるエントリー１６の染料は、染料水溶液としたときに、染料の析出が発生した。
また、染料（III）及び染料（IV）の総含有量に対する染料（IV）の含有量が５質量％超であるエントリー１５の染料混合物は、染料の混合による色味の変化が顕著であった。
【０１８７】
また、表１に示すように、染料（Ｖ）及び染料（VI）を含み、染料（Ｖ）及び染料（VI）の総含有量に対する染料（VI）の含有量が、０．００１質量％〜５質量％であるエントリー１７〜２２の染料混合物は、染料水溶液としたときに、染料の析出が抑制され、染料の混合による色味の変化が抑制されていた。
これに対し、染料（Ｖ）単体であるエントリー２４の染料は、染料水溶液としたときに、染料の析出が発生した。
また、染料（Ｖ）及び染料（VI）の総含有量に対する染料（VI）の含有量が５質量％超であるエントリー２３の染料混合物は、染料の混合による色味の変化が顕著であった。